(57)【要約】【課題】  メモリーカードスロットの外装と基板との位置合わせと、外装同士の位置合わせを確実に行うと同時に、メモリーカードスロットの基板を本体に先に固定出来る構成として束線を本体板金側に固定して電気ノイズ上も問題ない構成を提供する。【解決手段】  メモリーカードスロットの基板が、外装に設けられた穴と正確に位置合わせ可能なように、穴の開いた面上でカード抜き差し方向と垂直な面で、フレキシブルに微動可能な基板の取付け板金を設けた構成。【選択図】  図３
2005214998.tif 000002
【特許請求の範囲】
【請求項１】
記録媒体に画像を形成するための電子写真画像形成装置において、外装面に開口が設けられたメモリーカードスロットを有して、前記メモリーカードスロットの電気回路基板は取付け板金に固定され、前記取付け板金は、前記電子写真画像形成装置本体のフレームに固定され、前記取付け板金の前記電気回路基板の固定部分は、前記電子写真画像形成装置本体のフレームに対して、メモリーカードの差込方向に垂直な面において揺動可能であり、メモリーカードの差込方向には、動かない様に構成されていることを特徴とする電子写真画像形成装置。
【請求項２】
前記取付け板金の揺動部分は、前記電子写真画像形成装置本体のフレームに固定部分から、前記取付け板金の前記電気回路基板の固定部分設にかけて、板金に細幅のたわませる部分を設けて、前記取付け板金の前記電気回路基板の固定部分を揺動させることを特徴とする請求項１記載の電子写真画像形成装置。
【請求項３】
前記取付け板金の揺動部分は、開口が設けられた前記外装に対して位置決めされることを特徴とする請求項１記載の電子写真画像形成装置。
【発明の詳細な説明】
【技術分野】
【０００１】
本発明は、たとえば複写機、レーザービームプリンタ、ファクシミリ等とされる電子写真方式を利用した画像形成装置に関するものである。
【背景技術】
【０００２】
従来の画像形成装置には、ジャム処理やカートリッジ交換のための外装カバー開閉部分や用紙補給のための引き出し可能な給紙トレイが設けられている。また、デジカメ等で撮影した画像を読み込むためのメモリーカードスロットが設けられている（例えば、特許文献１参照）。
【０００３】
以下、図７〜１０により従来の画像形成装置について説明する。
【０００４】
図７は、従来の画像形成装置の外観図であり、ジャム処理やプロセスカートリッジ交換のための前開閉カバー２や、用紙補給のための引き出し可能な給紙トレイ４、画像を印字した後に矢印Ａ方向に排紙される用紙８を積載するための排紙トレイ９、その他の外装として、左カバー３、右カバー５を有している。また、デジカメ等で撮影した画像を読み込むためのメモリーカード差込口７が設けられている。メモリーカード読込は、オプションとして設定されており、メモリーカードスロットを設けていない設定の装置本体モデルを組み立てるときは、差込口７の開いていないカバーを組み付けられる様に、カードスロットベゼル６は、右カバー５と分割され設けられている。
【０００５】
図８は、前開閉カバー２を開き、給紙トレイ４を引出した状態である。前開閉カバー２を矢印Ｂの方向に開いた状態で、画像形成装置本体のジャム処理や、プロセスカートリッジの交換が可能である。また、給紙トレイ４を矢印Ｃの方向に引出すことで、給紙トレイ４への紙の補充が可能である。そして、図９の様に、画像形成装置右前上部にメモリーカード差込口７が、大きさの異なる各種メモリーカード１０、１１が、矢印Ｄ方向に抜き差し可能なよう設けられている。
【０００６】
図１０は、メモリーカード基板１３とカードスロットベゼル６の組付けを説明する図である。メモリーカード基板１３には、カードスロット１４や、カードスロット１５が設けられ、それぞれ異なる大きさのメモリーカード読込に対応している。メモリーカード基板１３は、取付け板金１２に組付けられ、取付け板金１２が、カードスロットベゼル６に固定されている。図１０の構成をユニットとして画像形成装置本体に組付け、組付け後に、ケーブル１６とアースケーブル１７を画像形成装置本体に接続し、その後、右カバー５を画像形成装置本体に組付ける。
【特許文献１】特開2003-287935号公報
【発明の開示】
【発明が解決しようとする課題】
【０００７】
しかしながら、上記従来例では、カードスロット基板１３の接地をアースケーブルを用いて画像形成装置のフレームに対して行うため、メモリーカード差込口付近に近づけた静電気を帯びた物体から、基板上に静電気が飛んだ場合、基板回路が誤動作する現象に対して十分でない。また、図１０のカードスロット基板１３とカードスロットベゼル６が一体となったユニットを本体に組付けてから、ケーブル１６の画像形成装置本体への接続と束線はい回しをおこない、その後、右カバー５を組み付けるため、カードスロットベゼル６と右カバー５の外装カバー同士の位置合わせが、不確実で、外装カバー同士にズレが発生する可能性があり外観上、外装カバー同士の隙間量にばらつきが生じる（例えば上端と下端で、隙間量が1mm程度ことなる等）可能性があった。
【０００８】
従来例のような、画像形成装置では、ユーザー操作性を重視しているため、特に、開閉カバー操作や、給紙トレイの操作、あるいは、メモリーカード等の抜差しをすべて画像形成装置正面から行える構成としており、従って、装置正面にカバーが、開閉する部分が集中している。この様な状況では、外装カバーのちょっとした段差、隙間の違いが目立つことになり、外観上ユーザーに不快な感じを与える結果となってしまう。
【０００９】
また、外装カバーの位置合わせを確実にするために先に、図１０のカードスロット基板１３とカードスロットベゼル６が一体となったユニットを右カバー５に固定すると、右カバー５内部の広範囲にわたってケーブル７の束線固定が出来なくなり、束線から発生する電気ノイズを抑止する効果が、不確実になる可能性といった問題が生じてしまう。
【００１０】
さらには、カードスロット基板１３とカードスロットベゼル６を一体ユニットとしないで、カードスロット基板１３を画像形成装置本体に組み付けた後に、カードスロットベゼル６を固定した右カバー５を画像形成装置に組付けようとすると、カードスロットベゼル６に設けられたカードスロット差込口７とカードスロット基板１３上のカードスロット１４、１５との位置合わせがズレることになり、メモリーカードがうまく挿入出来ないといった問題が生じてしまう。そして、このズレを補正しようとして、外装カバーをカードスロット基板１３に位置決めしようとすると基板に無理なストレスがかかり、梱包状態の物流時、振動や落下等で基板を破損させてしまうといった問題が生じてしまう。
【００１１】
よって、本出願に係る第１の発明の目的は上記課題を解決し、外装カバーの位置合わせを改善した、画像形成装置をユーザーに提供することである。
【課題を解決するための手段】
【００１２】
記録媒体に画像を形成するための電子写真画像形成装置において、外装面に開口が設けられたメモリーカードスロットを有して、前記メモリーカードスロットの電気回路基板は取付け板金に固定され、前記取付け板金は、前記電子写真画像形成装置本体のフレームに固定され、前記取付け板金の前記電気回路基板の固定部分は、前記電子写真画像形成装置本体のフレームに対して、メモリーカードの差込方向に垂直な面において揺動可能であり、メモリーカードの差込方向には、動かない様に構成されていることを特徴とする。
【００１３】
前記取付け板金の揺動部分は、前記電子写真画像形成装置本体のフレームに固定部分から、前記取付け板金の前記電気回路基板の固定部分設にかけて、板厚0.5〜1.0mmの板金に幅5〜10mmのたわませる部分を設けて、前記取付け板金の前記電気回路基板の固定部分を揺動させることを特徴とする。
前記取付け板金の揺動部分は、開口が設けられた前記外装に対して位置決めされることを特徴とする。
【発明の効果】
【００１４】
以上説明したように、本発明によれば、前記メモリーカードスロットの電気回路基板は取付け板金に固定され、前記取付け板金は、前記電子写真画像形成装置本体のフレームに固定され、前記取付け板金の前記電気回路基板の固定部分は、前記電子写真画像形成装置本体のフレームに対して、メモリーカードの差込方向に垂直な面において揺動可能であり、メモリーカードの差込方向には、動かない様に構成されているため、カードスロット基板１３を組付けた取付け板金を画像形成装置本体に組み付けた後、カードスロットベゼル６を固定した右カバー５を画像形成装置に組付けることで、カードスロット基板上のカードスロットが、外装カバー側に設けられた差込口と正確に位置合わせ可能になり、また、外装カバー同士も正確な位置合わせが可能になる。また、カードスロット基板１３を組付けた取付け板金を先に画像形成装置本体に組み付けることにより、取付け板金と、画像形成装置本体のフレームを直接に接地することが可能であり、通信のためのケーブルも確実にフレームに沿わせて組み付けることが可能になり、静電気や電気ノイズに対しても問題のない画像形成装置を提供することが可能になる。
【発明を実施するための最良の形態】
【００１５】
以下、本発明に係わる画像形成装置を図１〜６に則して更に詳しく説明する。
【実施例１】
【００１６】
図１は、本実施例の画像形成装置の外観図であり、ジャム処理やプロセスカートリッジ交換のための前開閉カバー２や、用紙補給のための引き出し可能な給紙トレイ４、画像を印字した後に矢印Ａ方向に排紙される用紙８を積載するための排紙トレイ９、その他の外装として、左カバー３、右カバー５を有している。また、デジカメ等で撮影した画像を読み込むためのメモリーカード差込口７が設けられている。メモリーカード読込は、オプションとして設定されており、メモリーカードスロットを設けていない設定の装置本体モデルを組み立てるときは、差込口７の開いていないカバーを組み付けられる様に、カードスロットベゼル６は、右カバー５と分割され設けられている。
【００１７】
図２は、画像形成装置本体から、カードスロットベゼル６を固定した右カバー５を外した状態である。図３は、図２の画像形成装置本体側のカードスロット基板１３周囲を拡大した説明図である。カードスロット基板１３を組付けた取付け板金２２は、画像形成装置本体側のフレームに対してビス２０、２１で固定されている。これにより、取付け板金２２は、画像形成装置本体のフレームに直接に接地されている。また、通信のための束線も、フレキシブル・フラットケーブル２３を用いて、確実にフレームに沿わせる様、組み付けられている。
【００１８】
図４は、図２のカードスロット基板１３と取付け板金２２部分のみを示した説明図である。図４の様に、カードスロット１５、１６が設けられたカードスロット基板１３は、取付け板金２２に、ビス２７、２８、２９で固定されている。
図５は、図２の取付け板金２２のみを示した説明図である。取付け板金２２は、板厚0.5〜1.0程度の板金であり、図４のビス２８、２９でカードスロット基板１３を固定している部分は、画像形成装置本体のフレームに固定されていた部分と板金の腕部３０、３１あるいは、腕部３２、３３で連結されている。それぞれの腕部は幅が5〜10mm程度であり、たわむことが可能である。すなわち、腕部３０が矢印Ｅ方向、腕部３１が矢印Ｆ方向、腕部３２が矢印Ｇ方向、腕部３３が矢印Ｈ方向にたわむことが可能である。また、取付け板金２２の基板取付けのためのビス固定部付近には、カードスロットベゼル６のための位置決め穴１８、１９が設けられている。これら、位置決め穴１８、１９が開けられた付近の板金部は、図３の右内カバー２６に突き当てられていることで、カードスロット基板１３は取付け板金２２に固定されると同時に、取付け板金２２が、電子写真画像形成装置本体のフレームに固定されたまま、カードスロット基板１３は、画像形成装置本体のフレームに対して、メモリーカードの差込方向に垂直な面において揺動可能であり、メモリーカードの差込方向には、動かないことになる。
【００１９】
図６は、カードスロットベゼル６を固定した右カバー５をカバー内側から見た説明図である。カードスロットベゼル６には、位置決めボス２４、２５が設けられている。これら位置決めボス２４、２５は、カードスロットベゼル６を固定した右カバー５を画像形成装置本体に組み付ける際に、取付け板金２２の位置決め穴１８、１９に差し込まれ、取付け板金２２側の腕部３０〜３３をたわませることで、カードスロット基板１３をカードスロットベゼル６に対して正確に位置合わせしている。
【００２０】
以上のように、本実施例により、外装カバー同士も正確な位置合わせが可能になり、また、カードスロット基板１３を組付けた取付け板金を先に画像形成装置本体に組み付けることにより、取付け板金と、画像形成装置本体のフレームを直接に接地することが可能であり、通信のためのケーブルも確実にフレームに沿わせて組み付けることが可能になり、静電気や電気ノイズに対しても問題のない画像形成装置を提供することが可能になる。
【図面の簡単な説明】
【００２１】
【図１】本発明の第１の実施例に係る画像形成装置を説明する図である。
【図２】本発明の第１の実施例に係る画像形成装置の外装取付けを説明する図である。
【図３】本発明の第１の実施例に係る画像形成装置のカードスロット基板取付けを説明する図である。
【図４】本発明の第１の実施例に係る画像形成装置のカードスロット基板と取付け板金の固定を説明する図である。
【図５】本発明の第１の実施例に係る画像形成装置の取付け板金を説明する図である。
【図６】本発明の第１の実施例に係る画像形成装置の外装を説明する図である。
【図７】従来例を説明する図である。
【図８】従来例を説明する図である。
【図９】従来例のカードスロットを説明する図である。
【図１０】従来例のカードスロット板金と外装の組付け関係を説明する図である。
【符号の説明】
【００２２】
１  上カバー
２  前開閉カバー
３  左カバー
４  給紙トレイ
５  右カバー
６  カードスロットベゼル
７  カードスロット差込口
８  用紙
９  排紙トレイ
１０  メモリーカード
１１  メモリーカード
１２  取付け板金
１３  カードスロット基板
１４  カードスロット
１５  カードスロット
１６  ケーブル
１７  アースケーブル
１８  位置決め穴
１９  位置決め穴
２０  取付けビス
２１  取付けビス
２２  取付け板金
２３  フレキシブル・フラットケーブル
２４  位置決めボス
２５  位置決めボス
２６  右内カバー
２７  取付けビス
２８  取付けビス
２９  取付けビス
３０  腕部
３１  腕部
３２  腕部
３３  腕部
【図１】
2005214998.tif 000003
【図２】
2005214998.tif 000004
【図３】
2005214998.tif 000005
【図４】
2005214998.tif 000006
【図５】
2005214998.tif 000007
【図６】
2005214998.tif 000008
【図７】
2005214998.tif 000009
【図８】
2005214998.tif 000010
【図９】
2005214998.tif 000011
【図１０】
2005214998.tif 000012